【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
バルクティッシュ及びタオル並びに不織製品及び不織布の製造に用いられるベルトの製造方法であって、
ａ）該ベルトのベース支持体を設け、
ｂ）該ベース支持体上に制御される方法で、高分子樹脂材料を配置して、配置される材料のｘ、ｙ、ｚ寸法を調整することにより、高分子樹脂材料の一滴以上の液滴から構成される各配置で所定の配置パターンを生成し、
ｃ）該高分子樹脂材料を少なくとも部分的に固着する、
各工程を含む、方法。
【請求項２】
前記液滴が１０μ（１０ミクロン）又はそれ以上の平均直径を有する、請求項１に記載の方法。
【請求項３】
前記工程ｂ）及びｃ）が、前記ベース支持体を横切って横方向に延びる連続帯上に順次実行される、請求項１に記載の方法。
【請求項４】
前記工程ｂ）及びｃ）が、前記ベース支持体周りを縦方向に延びる連続の細長い切れ上に順次実行される、請求項１に記載の方法。
【請求項５】
前記工程ｂ）及びｃ）が、前記ベース支持体周りに螺旋状に実行される、請求項１に記載の方法。
【請求項６】
前記工程ｂ）において、前記所定のパターンは、所定の配列で表される複数の分散位置を含む、請求項１に記載の方法。
【請求項７】
前記工程ｂ）において、前記所定のパターンは、所定の配列の複数の分散した開放を画定する連続網目模様を含む、請求項１に記載の方法。
【請求項８】
前記工程ｂ）において、前記所定のパターンは、前記ベース支持体のほぼ全体に亘って伸びる連続的な網目模様を含む、請求項１に記載の方法。
【請求項９】
前記工程ｂ）において、前記高分子樹脂材料は、前記ベース支持体内に浸透している、請求項１に記載の方法。
【請求項１０】
前記工程ｂ）において、前記高分子樹脂材料は、前記ベース支持体上に所望厚みの規則的又は不規則パターンの層を形成する、請求項１に記載の方法。
【請求項１１】
前記工程ｂ）において、前記高分子樹脂材料は、ピエゾジェット手段により配置される、請求項１に記載の方法。
【請求項１２】
前記工程ｂ）において、前記高分子樹脂材料は、複数の個々にコンピュータ制御されるピエゾジェットを備えるピエゾジェットアレイにより配置される、請求項１に記載の方法。
【請求項１３】
前記工程ｂ）及びｃ）の間に、更に、
ｉ）前記高分子樹脂材料の実際のパターンを検査して前記所定のパターンとの一致性を測定し、及び
ｉｉ）該高分子樹脂材料の実際のパターンを修復して該所定のパターンからの差をなくす、
各工程を含む、請求項１に記載の方法。
【請求項１４】
前記検査工程は、デジタルカメラと組み合わせて機能する高速パターン認識（ＦＰＲ）プロセッサによって実行される、請求項１３に記載の方法。
【請求項１５】
前記修復工程は、前記ＦＰＲプロセッサに結合された修復ジェットアレイによって実行される、請求項１４に記載の方法。
【請求項１６】
前記高分子樹脂材料が、
１．加熱溶融及び湿分硬化加熱溶融材料、
２．ウレタン及びエポキシ系統の２成分反応系、
３．反応性アクリレート単量体、ならびにウレタン、ポリエステル、ポリエーテル、及びシリコンから誘導されるアクリレートオリゴマーから成る感光性樹脂合成物、及び
４．水溶性ラテックス、及び分散体、及びアクリル及びポリウレタンを含む粒子充満調合物、
から成る群から選択される、請求項１に記載の方法。
【請求項１７】
前記固着工程が前記高分子樹脂材料を熱源に当てることにより実行される、請求項１に記載の方法。
【請求項１８】
前記固着工程が前記高分子樹脂材料を冷気に当てることにより実行される、請求項１に記載の方法。
【請求項１９】
前記固着工程が前記高分子樹脂材料を化学線に当てることにより実行される、請求項１に記載の方法。
【請求項２０】
前記第１の高分子樹脂材料を配置され、前記第１の高分子樹脂材料と異なる第２の高分子樹脂を配置される、請求項１に記載の方法。
【請求項２１】
前記高分子樹脂材料が均一表面を有する均一厚みの層として配置される、請求項１０に記載の方法。
【請求項２２】
前記高分子樹脂材料が３次元構造を有する表面を備える不均一厚みの層として配置される、請求項１０に記載の方法。
【請求項２３】
前記ベルトの製造を促進するために、バルクジェットで高分子樹脂材料を所定のパターンで前記ベース支持体の上に配置する工程を更に備える、請求項１に記載の方法。
【請求項２４】
前記配置工程は、工程ｃ）の前に実行される、請求項２３に記載の方法。
【請求項２５】
前記配置工程は、工程ｃ）と同時に実行される、請求項２３に記載の方法。
【請求項２６】
前記高分子樹脂材料を一様の厚さで且つ滑らかで肉眼的に単一平面とするために、前記ベース支持体上に配置された前記高分子樹脂材料を研磨する工程を更に備える、請求項１に記載の方法。
【請求項２７】
細長い切れの幅より大きい幅を有するベルトを形成するために、最終的に螺旋状に巻かれる材料の織物、不織布、螺旋形状の、螺旋連結した、編まれた網目又は細長い切れから実質的に成る群から選ばれたベース支持体を提供する工程を更に含む、請求項１に記載の方法。
【請求項２８】
バルクティッシュ及びタオル、及び不織製品及び織物の製造に用いられるベルトであって、該ベルトは、
ベース支持体；及び
高分子樹脂材料を配置してｘ、ｙ、ｚ寸法を調整するパターン、を含み
該配置は高分子樹脂材料の一滴以上の液滴から構成され、
該ベルトは、
ａ）該ベルトに使用するベース支持体を設け、
ｂ）該ベース支持体上に制御される方法で高分子樹脂材料を配置して、配置される所定材料のｘ、ｙ、ｚ寸法を調整することにより、高分子樹脂材料の一滴以上の液滴から構成される各配置で所定の配置パターンを生成し、
ｃ）該高分子樹脂材料を少なくとも部分的に固着する、
各工程を含む方法で作製される、ベルト。
【請求項２９】
前記液滴が１０μ（１０ミクロン）又はそれ以上の平均直径を有する、請求項２８に記載のベルト。
【請求項３０】
前記工程ｂ）及びｃ）が、前記ベース支持体を横切って横方向に延びる連続帯上に順次実行される、請求項２８に記載のベルト。
【請求項３１】
前記工程ｂ）及びｃ）が、前記ベース支持体の至るところで長さ方向に伸びる連続の細長い切れ上で順次実行される、請求項２８に記載のベルト。
【請求項３２】
前記工程ｂ）及びｃ）が、前記ベース支持体周りに螺旋状に実行される、請求項２８に記載のベルト。
【請求項３３】
前記工程ｂ）において、前記所定のパターンは、所定の配列で表される複数の分散位置を含む、請求項２８に記載のベルト。
【請求項３４】
前記工程ｂ）において、前記所定のパターンは、所定の配列の複数の分散した開放領域を画定する連続的な網目模様を含む、請求項２８に記載のベルト。
【請求項３５】
前記工程ｂ）において、前記所定のパターンは、前記ベース支持体のほぼ全体に広がる半連続網目模様を含む、請求項２８に記載のベルト。
【請求項３６】
前記工程ｂ）において、前記高分子樹脂材料は、前記ベース支持体内に浸透している、請求項２８に記載のベルト。
【請求項３７】
前記工程ｂ）において、前記高分子樹脂材料は、前記ベース支持体上に所望厚みの規則的又は不規則パターンの層を形成する、請求項２８に記載のベルト。
【請求項３８】
前記工程ｂ）において、前記高分子樹脂材料は、ピエゾジェット手段により配置される、請求項２８に記載のベルト。
【請求項３９】
前記工程ｂ）において、前記高分子樹脂材料は、複数の個々にコンピュータ制御されるピエゾジェットを備えるピエゾジェットアレイにより配置される、請求項２８に記載のベルト。
【請求項４０】
前記高分子樹脂材料が、
１．加熱溶融及び湿分硬化加熱溶融材料、
２．ウレタン及びエポキシ系統の２成分反応系、
３．反応性アクリレート単量体、ならびにウレタン、ポリエステル、ポリエーテル及びシリコンから誘導されるアクリレートオリゴマーからなる感光性樹脂合成物、及び
４．水溶性ラテックス及び分散体及びアクリル樹脂及びポリウレタンを含む粒子充満調合物、
から成る群から選択される、請求項２８に記載のベルト。
【請求項４１】
前記第１の高分子樹脂材料を配置され、前記第１の高分子樹脂材料と異なる第２の高分子樹脂材料を配置される、請求項２８に記載のベルト。
【請求項４２】
前記高分子樹脂材料が均一表面を有する均一厚みの層として配置される、請求項３７に記載のベルト。
【請求項４３】
前記高分子樹脂材料が３次元構造を有する表面を備える不均一厚みの層として配置される、請求項３７に記載のベルト。
【請求項４４】
前記ベルトの製造を促進するために、高分子樹脂材料を、バルクジェットを備える所定のパターンで前記ベース支持体の上に配置する工程を更に備える、請求項２８に記載のベルト。
【請求項４５】
前記配置工程は、工程ｃ）の前に実行される、請求項４４に記載のベルト。
【請求項４６】
前記配置工程は、工程ｃ）と同時に実行される、請求項４４に記載のベルト。
【請求項４７】
前記高分子樹脂材料を一様の厚さで且つ滑らかで肉眼的に単一平面とするために、前記ベース支持体上に配置された前記高分子樹脂材料を研磨する工程を更に備える、請求項２８に記載のベルト。
【請求項４８】
細長い切れの幅より大きい幅を有するベルトを形成するために、最終的に螺旋状に巻かれる材料の織物、不織布、螺旋形状の、螺旋連結した、編まれた網目又は細長い切れから実質的に成る群から選択されるベース支持体を設ける工程を更に含む、請求項２８に記載のベルト。
【請求項４９】
前記ベース支持体は、単繊維、撚り単繊維、多繊維、及び撚り多繊維の群から選択された糸を含む、請求項２８に記載のベルト。
【請求項５０】
前記糸は、金属、ポリアミド、ポリエステル、ポリウレタン、ポリアラミド、又はポリオレフィンを含む、請求項４９に記載のベルト。
【手続補正２】
【補正対象書類名】明細書
【補正対象項目名】００４５
【補正方法】変更
【補正の内容】
【００４５】
第３のステーションにおいては、追加設定ステーション３６、横方向レール３８，４０は、固着デバイス４２を支持する。固着デバイス４２は、使用されている高分子樹脂材料を固着するのに必要となる場合がある。例えば、赤外線、熱風、マイクロウェーブ、又はレーザ光線等の熱源、冷風、あるいは紫外線又は可視光線であってもよく、その選択は、使用される高分子樹脂材料の必要条件に左右される。